(57)【特許請求の範囲】
【請求項１】
複数種類の図柄を変動させる図柄変動ゲームで、予め定められた大当たり表示結果が表示されたとき、遊技者に有利な大当たり遊技が付与される遊技機の制御に係わる制御基板を保護する遊技機用の制御基板の保護装置において、
前記制御基板を全体的に覆う基板ケースと、前記制御基板に対して抜き差しされ、前記制御基板に電気的に接続及び切り離されるコネクタを保護するコネクタカバーとを備え、
前記基板ケースは、前記コネクタを通す貫通口と、その貫通口の近傍に配された係合部とを有し、
前記コネクタカバーは、略箱形に形成され、天井部及び周壁を有し、
前記天井部は、前記貫通口を通って前記基板ケースの外方へ突出した前記コネクタを前記コネクタが差し込まれる方向から覆うように形成され、
前記周壁は、前記基板ケースの外方へ突出したコネクタを前記コネクタが差し込まれる方向に対し直交する方向から覆うように形成され、
前記周壁又は天井部の少なくとも一方には、前記係合部へ延びる板形状の連結体が一体的に形成され、
前記連結体の先端部には、被係合部が一体的に形成され、
前記係合部は、前記被係合部に係合することにより、前記連結体を介して、前記コネクタカバーを前記コネクタが前記制御基板から抜き出される方向へ移動不能に拘束し、
前記被係合部は、前記連結体に連続して形成された中央片と、その中央片の両側に位置する一対の被係合片を有し、
前記係合部は、一対の長辺縁と一対の短辺縁とを有する係合穴を備え、
前記一対の長辺縁の間隔が前記一対の被係合片の間隔より狭くなるよう形成され、
前記一対の短辺縁の間隔が前記一対の被係合片の間隔より広くなるよう形成されており、
前記連結体が破断されて回動されることにより、前記一対の被係合片が前記係合穴の前記長辺縁に合わせた位置と、前記係合穴の前記短辺縁に合わせた位置とに移動されるように構成されている
ことを特徴とする遊技機用の制御基板の保護装置。
【請求項２】
複数種類の図柄を変動させる図柄変動ゲームで、予め定められた大当たり表示結果が表示されたとき、遊技者に有利な大当たり遊技が付与される遊技機の制御に係わる制御基板を保護する遊技機用の制御基板の保護装置において、
前記制御基板を全体的に覆う基板ケースと、前記制御基板に対して抜き差しされ、前記制御基板に電気的に接続及び切り離されるコネクタを保護するコネクタカバーとを備え、
前記基板ケースは、その基板ケースの内部と外部とに貫通し、前記コネクタを基板ケースの内部に通す貫通口と、その貫通口の近傍に配された係合部とを有し、
前記コネクタカバーは、略箱形に形成され、天井部及び周壁を有し、
前記天井部は、前記貫通口を前記コネクタが差し込まれる方向から覆うように形成され、
前記周壁又は天井部の少なくとも一方には、前記係合部へ延びる板形状の連結体が一体的に形成され、
前記連結体の先端部には、被係合部が一体的に形成され、
前記係合部は、前記被係合部に係合することにより、前記連結体を介して、前記コネクタカバーを前記コネクタが前記制御基板から抜き出される方向へ移動不能に拘束し、
前記被係合部は、前記連結体に連続して形成された中央片と、その中央片の両側に位置する一対の被係合片を有し、
前記係合部は、一対の長辺縁と一対の短辺縁とを有する係合穴を備え、
前記一対の長辺縁の間隔が前記一対の被係合片の間隔より狭くなるよう形成され、
前記一対の短辺縁の間隔が前記一対の被係合片の間隔より広くなるよう形成されており、
前記連結体が破断されて回動されることにより、前記一対の被係合片が前記係合穴の前記長辺縁に合わせた位置と、前記係合穴の前記短辺縁に合わせた位置とに移動されるように構成されている
ことを特徴とする遊技機用の制御基板の保護装置。
【請求項３】
前記制御基板からコネクタを離脱不能に拘束するロック機構をさらに有し、
前記コネクタカバーは、前記ロック機構に接することにより、前記拘束が解除されるのを防止する突起を有している
ことを特徴とする請求項１又は請求項２のいずれかに記載の遊技機用の制御基板の保護装置。
【請求項４】
前記基板ケースは、前記貫通口を間にして前記係合部とは反対側に壁部を有し、
前記コネクタカバーの周壁は、前記基板ケースの壁部に接するように形成されていることを特徴とする請求項１から請求項３のいずれかに記載の遊技機用の制御基板の保護装置。
【請求項５】
前記基板ケースは、前記貫通口を間にして前記係合部とは反対側に壁部を有し、
前記反対側の壁部は掛止部を有し、
前記コネクタカバーの周壁又は天井部の少なくとも一方は被掛止部を有し、
前記掛止部は、前記被掛止部に掛止することにより、前記コネクタカバーを前記コネクタカバーが前記制御基板から抜き出される方向へ移動不能に拘束することを特徴とする請求項１から請求項３のいずれかに記載の遊技機用の制御基板の保護装置。
【請求項６】
前記コネクタカバーの周壁は、前記コネクタから延びるケーブルを通すための開口が形成され、
前記開口の両側縁には、前記連結体が一体的にそれぞれ形成されていることを特徴とする請求項１から請求項５のいずれかに記載の遊技機用の制御基板の保護装置。
【請求項７】
前記係合部は、嵌合溝と、その嵌合溝の底部に設けられた係合穴とを有し、
前記連結体と前記被係合部との間の中間部には、遮蔽体が一体的に形成され、
前記遮蔽体は、前記被係合部が前記係合穴に係合するときに、前記嵌合溝に嵌合すると共に、前記係合穴を塞ぐことを特徴とする請求項１から請求項６のいずれかに記載の遊技機用の制御基板の保護装置。
【請求項８】
請求項１から請求項７のいずれかに記載の前記制御基板の保護装置を備えた遊技機。
【発明の詳細な説明】
【技術分野】
【０００１】
本発明は、遊技機の制御に係わる制御基板を保護する遊技機及び遊技機用の制御基板の保護装置に関する。
【背景技術】
【０００２】
スロットマシンやパチンコ機等の遊技機では、その内部に備えられる各装置の動作やゲーム内容を制御する制御基板が設けられている。制御基板は、メダルや球の払い出しの制御、大当たりや各ボーナスの抽選などを行う極めて重要な役割を有するものである。
【０００３】
遊技機内部に備えられた各装置の電子回路から制御基板にケーブルが配線されている。ケーブルは、コネクタにより制御基板に電気的に接続されている。例えば、制御基板は、電子回路からの入力信号を受けて、払出装置の電子回路に払出命令の制御信号を出力する。
【０００４】
遊技機に備えられた正規の制御基板が不正な制御基板に交換されたり、不正改造されたりした場合に、それらの不正行為を容易に発見し、遊技場が損害を受けないようにする必要がある。
【０００５】
また、制御基板に入出力する信号を偽装して、メダルや球を払い出す等の不正行為がある。例えば、制御基板に接続されたケーブルあるいはコネクタに、持ち込んだ不正なＩＣ（半導体集積回路）を接続することにより、制御基板に入出力する信号を偽装して、払出装置等を動作させる場合がある。この場合にも、その不正行為を発見し、遊技場が被害を受けないようにする必要がある。
【０００６】
さらに、これらの不正行為においては、低コストの部品が破壊対象となるようにし、また、その部品を簡単に交換可能とする。それにより、不正行為を発見した後に、遊技機を修復する場合に、その修復コストを低減することも考慮する必要がある。
【０００７】
不正な制御基板に交換されたり、不正改造されたりする不正行為の対策としては、従来においては、基板ケースをトレー部材及びカバー部材により構成し、トレー部材とカバー部材とを表裏方向から組み合わせ、トレー部材とカバー部材との間に制御基板を収容するための空間を形成し、トレー部材とカバー部材との組み合わせ部分に、複数の封印シールを貼ったものがある。
【０００８】
この構成により、基板ケースを破壊しなければ、また、封印シールを剥がさなければ、制御基板に対しアクセス不能となっている。また、基板ケースを破壊した痕跡、また、封印シールを剥がした痕跡を容易に発見できるような構成となっている。以上の対策を一例として、基板ケースに対する不正行為について、様々な対策が講じられている。
【０００９】
最近、制御基板に入出力する信号を偽装して、メダルや球を払い出す等の不正行為、すなわち、ケーブルやコネクタに対する不正行為が問題になりつつある。この不正行為の対策としては、次の２つの従来技術を挙げることができる。
【００１０】
第１に、制御基板を上部カバーと下部カバーとにより上下から覆い、ネジ等により封止する。上部カバーの外方へ露出したコネクタをコネクタカバーにより覆い、コネクタカバーの第１突起をコネクタのプラグの嵌合孔に嵌合し、コネクタカバーの第２突起をコネクタのソケットの部材間の溝に嵌合する。さらに、コネクタカバーの第３突起により、ソケットのロックレバーが動かないよう固定する構成が提案されている（例えば、特許文献１）。
【００１１】
第２に、カバー体の開口の先にはコネクタが配設され、その開口がスペーサにより塞がれる。開口の縁部にスペーサのフックが係合して、スペーサが開口から外れ不能となる構成が提案されている（例えば、特許文献２）。
【００１２】
【特許文献１】特開２００６−３４７８４号公報
【特許文献２】特開２００６−２１２０６３号公報
【発明の開示】
【発明が解決しようとする課題】
【００１３】
しかしながら、上記特許文献１に記載された技術では、コネクタカバーがコネクタを覆っているために、コネクタカバーをコネクタから外さなければ、制御基板からコネクタを抜くことが不能となる。そのため、不正行為においては、コネクタカバーの第１突起、第２突起及び第３突起を破壊する。この不正行為のときに、コネクタのプラグ、ソケット、ロックレバーを破損してしまう場合がある。また、上部カバー等も破損してしまう場合がある。遊技機を修復する場合に、コネクタや上部カバー等の交換部品や交換作業が必要となり、遊技機の修復コストが嵩むという問題点がある。
【００１４】
また、上記特許文献２に記載された技術では、カバー体の開口からスペーサを外して、開口を開放しなければ、制御基板からコネクタを抜くことが不能となる。そのため、不正行為においては、スペーサを破壊する。この不正行為においては、カバー体の開口の縁部も破損してしまうおそれがある。遊技機を修復する場合に、スペーサやカバー体等の交換部品や交換作業が必要となり、遊技機の修復コストが嵩むという問題点があった。
【００１５】
本発明は、上記の問題を解決するものであり、コネクタカバー以外の部品ができるだけ破壊されないようにし、遊技機の修復コストを低減することができる遊技機及び遊技機用の制御基板の保護装置を提供することを目的とする。
【課題を解決するための手段】
【００１６】
上記課題を解決するため、請求項１に記載の発明は、複数種類の図柄を変動させる図柄変動ゲームで、予め定められた大当たり表示結果が表示されたとき、遊技者に有利な大当たり遊技が付与される遊技機の制御に係わる制御基板を保護する遊技機用の制御基板の保護装置において、前記制御基板を全体的に覆う基板ケースと、前記制御基板に対して抜き差しされ、前記制御基板に電気的に接続及び切り離されるコネクタを保護するコネクタカバーとを備え、前記基板ケースは、前記コネクタを通す貫通口と、その貫通口の近傍に配された係合部とを有し、前記コネクタカバーは、略箱形に形成され、天井部及び周壁を有し、前記天井部は、前記貫通口を通って前記基板ケースの外方へ突出した前記コネクタを前記コネクタが差し込まれる方向から覆うように形成され、前記周壁は、前記基板ケースの外方へ突出したコネクタを前記コネクタが差し込まれる方向に対し直交する方向から覆うように形成され、前記周壁又は天井部の少なくとも一方には、前記係合部へ延びる板形状の連結体が一体的に形成され、前記連結体の先端部には、被係合部が一体的に形成され、前記係合部は、前記被係合部に係合することにより、前記連結体を介して、前記コネクタカバーを前記コネクタが前記制御基板から抜き出される方向へ移動不能に拘束し、前記被係合部は、前記連結体に連続して形成された中央片と、その中央片の両側に位置する一対の被係合片を有し、前記係合部は、一対の長辺縁と一対の短辺縁とを有する係合穴を備え、前記一対の長辺縁の間隔が前記一対の被係合片の間隔より狭くなるよう形成され、前記一対の短辺縁の間隔が前記一対の被係合片の間隔より広くなるよう形成されており、前記連結体が破断されて回動されることにより、前記一対の被係合片が前記係合穴の前記長辺縁に合わせた位置と、前記係合穴の前記短辺縁に合わせた位置とに移動されるように構成されていることを特徴とする遊技機用の制御基板の保護装置である。
【００１７】
また、請求項２に記載の発明は、複数種類の図柄を変動させる図柄変動ゲームで、予め定められた大当たり表示結果が表示されたとき、遊技者に有利な大当たり遊技が付与される遊技機の制御に係わる制御基板を保護する遊技機用の制御基板の保護装置において、前記制御基板を全体的に覆う基板ケースと、前記制御基板に対して抜き差しされ、前記制御基板に電気的に接続及び切り離されるコネクタを保護するコネクタカバーとを備え、前記基板ケースは、その基板ケースの内部と外部とに貫通し、前記コネクタを基板ケースの内部に通す貫通口と、その貫通口の近傍に配された係合部とを有し、前記コネクタカバーは、略箱形に形成され、天井部及び周壁を有し、前記天井部は、前記貫通口を前記コネクタが差し込まれる方向から覆うように形成され、前記周壁又は天井部の少なくとも一方には、前記係合部へ延びる板形状の連結体が一体的に形成され、前記連結体の先端部には、被係合部が一体的に形成され、前記係合部は、前記被係合部に係合することにより、前記連結体を介して、前記コネクタカバーを前記コネクタが前記制御基板から抜き出される方向へ移動不能に拘束し、前記被係合部は、前記連結体に連続して形成された中央片と、その中央片の両側に位置する一対の被係合片を有し、前記係合部は、一対の長辺縁と一対の短辺縁とを有する係合穴を備え、前記一対の長辺縁の間隔が前記一対の被係合片の間隔より狭くなるよう形成され、前記一対の短辺縁の間隔が前記一対の被係合片の間隔より広くなるよう形成されており、前記連結体が破断されて回動されることにより、前記一対の被係合片が前記係合穴の前記長辺縁に合わせた位置と、前記係合穴の前記短辺縁に合わせた位置とに移動されるように構成されていることを特徴とする遊技機用の制御基板の保護装置である。
【００１８】
さらに、請求項３に記載の発明は、前記制御基板からコネクタを離脱不能に拘束するロック機構をさらに有し、前記コネクタカバーは、前記ロック機構に接することにより、前記拘束が解除されるのを防止する突起を有していることを特徴とする請求項１又は請求項２のいずれかに記載の遊技機用の制御基板の保護装置である。
さらに、請求項４に記載の発明は、前記基板ケースは、前記貫通口を間にして前記係合部とは反対側に壁部を有し、前記コネクタカバーの周壁は、前記基板ケースの壁部に接するように形成されていることを特徴とする請求項１から請求項３のいずれかに記載の遊技機用の制御基板の保護装置である。
【００１９】
さらに、請求項５に記載の発明は、前記基板ケースは、前記貫通口を間にして前記係合部とは反対側に壁部を有し、前記反対側の壁部は掛止部を有し、前記コネクタカバーの周壁又は天井部の少なくとも一方は被掛止部を有し、前記掛止部は、前記被掛止部に掛止することにより、前記コネクタカバーを前記コネクタが前記制御基板から抜き出される方向へ移動不能に拘束することを特徴とする請求項１から請求項３のいずれかに記載の遊技機用の制御基板の保護装置である。
【００２０】
さらに、請求項６に記載の発明は、前記コネクタカバーの周壁は、前記コネクタから延びるケーブルを通すための開口が形成され、前記開口の両側縁には、前記連結体が一体的にそれぞれ形成されていることを特徴とする請求項１から請求項５のいずれかに記載の遊技機用の制御基板の保護装置である。
【００２１】
さらに、請求項７記載の発明は、前記係合部は、嵌合溝と、その嵌合溝の底部に設けられた係合穴とを有し、前記連結体と前記被係合部との間の中間部には、遮蔽体が一体的に形成され、前記遮蔽体は、前記被係合部が前記係合穴に係合するときに、前記嵌合溝に嵌合すると共に、前記係合穴を塞ぐことを特徴とする請求項１から請求項６のいずれかに記載の遊技機用の制御基板の保護装置である。
【００２３】
さらに、請求項８に記載の発明は、請求項１から請求項７のいずれかに記載の前記制御基板の保護装置を備えた遊技機である。
【発明の効果】
【００２４】
請求項１に記載の発明によると、コネクタを制御基板から外そうとした場合に、コネクタカバーの天井部により、コネクタがその差し込み方向から覆われているため、コネクタを外すことができない。また、コネクタカバーを基板ケースから外そうとした場合に、基板ケースの係合部がコネクタカバーの被係合部に係合し、コネクタカバーをコネクタの外れ方向に移動不能に拘束しているため、コネクタカバーも外すことができない。
【００２５】
すなわち、コネクタを制御基板から外すためには、コネクタカバー全体を破壊する必要がある。あるいは、基板ケースの係合部を破壊する必要がある。コネクタカバー全体や基板ケースの係合部を破壊することは、困難を伴う。
【００２６】
コネクタカバーの連結体が板形状に形成されているため、切断工具を用いて、連結体を容易に破断することができる。連結体を破断することにより、コネクタカバーが基板ケースの係合部に拘束されず、コネクタカバーを外すことができる。従って、不正行為においては、コネクタカバーが破壊対象となる。コネクタカバー以外の部品ができるだけ破壊されないようになる。
【００２７】
遊技機を修復させる場合に、基板ケースは破壊されていないため、そのまま利用することが可能となり、コネクタカバーを交換すれば済むので、遊技機の修復コストを低減することができる。また、連結体が破壊された痕跡により、不正行為を容易に発見することができる。さらに、不正行為において、コネクタカバーの連結体が破断される。この不正行為を発見した後に、例えば、連結体の先端部に形成された被係合部が、係合部の矩形状穴の中に残っている場合に、新たなコネクタカバーの被係合部を係合部の矩形状穴に入れることが不能となる。そこで、連結体が回動されることにより、被係合部の一対の被係合片を係合部の一対の短片縁にそれぞれ合わせるようにする。次に、連結体を基板ケースの外方へ移動すれば、一対の短片縁の間隔が一対の被係合片の間隔より広いため、被係合部を係合部の矩形状穴から抜くことができる。それにより、コネクタカバーを交換する作業を簡単に行うことが可能となる。
【００２８】
また、請求項２に記載の発明によると、コネクタを制御基板から外そうとした場合に、コネクタを通すための貫通口がコネクタカバーにより覆われているため、コネクタにアクセス不能となる。また、コネクタカバーを外そうとした場合に、基板ケースの係合部がコネクタカバーの被係合部に係合し、コネクタカバーをコネクタの外れ方向に移動不能に拘束しているため、コネクタカバーも外すことができない。
【００２９】
板形状の連結体を破断することにより、コネクタカバーを基板ケースから外すことが可能となる。従って、不正行為においては、コネクタカバー以外の部品ができるだけ破壊されないようになる。それにより、遊技機の修復コストを低減することができる。また、コネクタカバーを交換する作業を簡単に行うことが可能となる。
【００３０】
さらに、コネクタカバーの周壁には連結体が一体的に形成され、連結体の先端部に設けられた被係合部に係合部が係合している。その構成のみでは、係合部を略中心にしてコネクタカバーがある程度回動した場合に、コネクタカバーの周壁と基板ケースとの間に、工具が通る隙間ができ、不正行為が可能となる場合がある。請求項４に記載の発明によると、基板ケースの壁部にコネクタカバーの周壁が接している構成が追加されている。それにより、係合部を略中心にしてコネクタカバーがある程度回動した場合に、コネクタカバーの周壁と基板ケースの壁部との間にわずかな隙間ができる。そのわずかな隙間には、工具を通すことは不可能であり、不正行為が可能とならない。
【００３１】
それにより、基板ケースの壁部に接したコネクタカバーの周壁には、コネクタカバーに連結体や被係合部を設ける必要がなく、基板ケースに係合部を設ける必要がない。連結体や係合部の数が減少することにより、コネクタカバー等の製造コストを低減することができる。また、連結体等の数が減少した分だけ、コネクタカバーや基板ケースの小型化を図ることができる。
【００３２】
さらに、請求項５に記載の発明によると、コネクタカバーの両側には、係合部と掛止部とが配される。掛止部は、基板ケースの壁部に設けられていて、コネクタカバーの周壁又は天井部の少なくとも一方に設けられた被掛止部に掛止している。掛止部が被掛止部を拘束することにより、係合部を略中心にしてコネクタカバーが回動不能となる。また、係合部が被係合部を拘束することにより、掛止部を略中心にしてコネクタカバーが回動不能となる。
【００３３】
それにより、コネクタカバーはいずれの方向へも回動せず、コネクタカバーと基板ケースとの間に隙間が生じないため、不正行為が可能とならない。仮に、隙間が生じた場合でもわずかであるため、隙間に工具を通すことは不可能であり、不正行為が可能とならない。
【００３４】
さらに、請求項６に記載の発明によると、コネクタカバーの開口の両側縁が連結体を介して基板ケースに支えられた形状になる。それにより、開口の両側縁の剛性が高まり、開口の両側縁を大きく変形させることが不能となり、開口の両側縁とコネクタとの間に大きな隙間を作ることができない。それにより、その隙間に工具を通すことは不可能であり、不正行為が可能とならない。
【００３５】
さらに、請求項７に記載の発明によると、コネクタカバーの被係合部が基板ケースの係合穴に係合するときに、コネクタカバーの遮蔽体が基板ケースの嵌合溝に嵌合すると共に、係合穴を塞ぐ。それにより、特殊な工具であっても、遮蔽体と嵌合溝の溝壁や溝底との隙間に通し、さらに、被係合部と係合穴の縁との隙間に通して、基板ケースの内部に入れることは不能となり、不正行為を防止することができる。
【００３８】
さらに、請求項８に記載の発明によると、不正行為においては、コネクタカバー以外の部品ができるだけ破壊されないようにし、他の部品を再利用可能とした。それにより、不正行為を発見した後に、遊技機を修復するには、コネクタカバーを交換すれば良いので、遊技機の修復コストを低減することができる。
【発明を実施するための最良の形態】
【００３９】
［第１の実施の形態］
（構成）
本発明の一実施の形態に係る遊技機用の制御基板の保護装置の構成について図１を参照して説明する。図１は、遊技媒体用の基板ケース及びコネクタカバーをその内部に備えたスロットマシンの正面図である。
【００４０】
図１に示すスロットマシン１０は、その外郭をなすボックス形状の機本体１１を備えている。この機本体１１の開口前面には、各種の遊技用構成部材をセットする前扉１２がヒンジ（図示省略）により、水平方向へ横開き状態で開閉可能に組み付けられている。
【００４１】
前扉１２の前面略中央部には窓口１２ａが形成されており、この窓口１２ａには中央表示パネル１３が固着されている。中央表示パネル１３の中央には表示窓１４が設けられている。この表示窓１４を通して、機本体１１内に配設された３つの回転リール１５が視認可能になっている。
【００４２】
中央表示パネル１３の下方には、前扉１２の前面側に膨出した膨出部１７が形成されている。膨出部１７の上面にはコインである遊技媒体を投入するコイン投入口１９等が設けられている。また、膨出部１７の前面にはスタートレバー１８及びストップボタン２１が並設されている。
【００４３】
スタートレバー１８は、操作位置と原位置との間を揺動可能に構成され、原位置の方向に付勢されている。遊技者がスタートレバー１８を付勢力に抗して揺動操作するとオンし、スタートレバー１８が付勢力により原位置に戻るとオフするレバースイッチ（図示省略）が設けられている。ストップボタン２１は、３つの回転リール１５に対応して設けられている。ストップボタン２１に対応して押圧スイッチ（図示省略）が設けられている。
【００４４】
次に、スロットマシン１０内部に設けられた制御基板（図示省略）について説明する。制御基板は、レバースイッチがオンすると、３つの回転リール１５を一斉に回転させる制御を行う。同時に、制御基板は、遊技における役抽選の処理を実行し、抽選結果をメモリ（図示省略）に記憶する。遊技において、遊技媒体の払い出しが行われる役として、セブン役、バー役、ベル役、プラム役、チェリー役があり、遊技媒体の払い出しが行われない役としてハズレ役がある。
【００４５】
制御基板は、押圧スイッチの操作を検知し、対応する回転リール１５の回転を停止する制御を行う。全ての回転リール１５が停止して、停止した回転リール１５の周面にそれぞれ描かれる３個の図柄が、メモリに記憶された抽選結果に対応する図柄になると、遊技における役が確定する。
【００４６】
制御基板は、遊技における役が確定した場合、その役に応じた枚数の遊技媒体（コイン）を払い出すように図２に示す払出装置２５を制御する。コインをスロットマシン内部の払出装置からスロットマシン１０外部へ放出するためのコイン払出し口２２が前扉１２の下端部に開設されている。放出されたコインを貯留するためのコイン受け皿２３が前扉１２の前面下端部に設けられている。
【００４７】
次に、スロットマシン１０の内部構成を図２〜図４を参照にして説明する。図２は、前扉１２を外して、スロットマシン１０の内部構成を前から見た正面図である。図３は、基板ケースの斜視図、図４は、制御基板３０を収容する基板ケースの分解斜視図である。
【００４８】
制御基板３０は、回転リール１５の回転及び停止制御、遊技における役抽選の処理、遊技媒体の払出制御、その他の遊技機全体を制御するためのＣＰＵ、ＲＡＭ、ＲＯＭ、乱数発生器などの素子を備えている。これらの素子を図４では省略して示している。
【００４９】
制御基板３０は、スロットマシン１０の内部にあって、３つの回転リール１５の上方に配置されている。制御基板３０は、不正な基板との交換、あるいは不正改造などを防止するために、基板ケース４０に収容されている。
【００５０】
次に、図３から図１０を参照にして、制御基板３０及び基板ケース４０について説明する。図５は基板ケース及びコネクタカバーの斜視図、図６は基板ケースの正面図、図７は基板ケースの底面図、図８は基板ケースの側面図、図９は図６のＩＸ−ＩＸ線断面図、図１０は図６のＸ−Ｘ線断面図である。
【００５１】
図４に示すように、基板ケース４０は、制御基板３０の表面（ＣＰＵなどの素子が実装される側の面）を覆うように形成されたカバー部材５０と、制御基板３０の裏面を覆うように形成されたトレー部材６０とを備えている。
【００５２】
トレー部材６０は、機本体１１の後壁１１ａに内側から固定されている。トレー部材６０は、制御基板３０を安定的に固定するように構成されている。すなわち、制御基板３０は、トレー部材６０を介して機本体１１の後壁１１ａに固定されている。
【００５３】
制御基板３０は、基板ケース４０ごと機本体１１にカシメ固定されている。すなわち、制御基板３０は、締めることは可能であるが、緩めることが不能な戻り止めネジを用いて機本体１１に固定されている。このように、制御基板３０を基板ケース４０ごと機本体１１にカシメ固定したことにより、第３者が基板ケース４０を破壊しない限り（戻り止めネジは緩めることは不可能なため）、基板ケース４０は機本体１１から取り外すことが不可能となっている。なお、機本体１１への固定は、戻り止めネジに限らず、打ち込み鋲であっても良い。
【００５４】
カバー部材５０は、制御基板３０を固定した状態のトレー部材６０と、制御基板３０を内部に収容するように組み合わされている。制御基板３０の表面には、ＣＰＵなどの素子が実装されている。また、制御基板３０の表面には全部で６個のコネクタ３１が配設されている。制御基板３０の裏側には回路パターン（接続パターン）が形成されている。
【００５５】
図４及び図５に示すように、コネクタ３１は、雌雄で一対になったコンタクト（接触子）と、コンタクトを配列して保持するハウジングを有する。コンタクトは、制御基板に例えばハンダ付けで接着されたプラグ（雄接触子）と、ケーブル（図示省略）が電気的に接続されたソケット（雌接触子）とを含む。ケーブルは、制御基板側のプラグに対してソケットを抜き差しすることにより、制御基板に電気的に接続及び切り離される。また、６個のコネクタ３１の中の３個については、プラグとソケットを離脱不能にするロック機構を有している。
【００５６】
ケーブル（図示省略）が電気的に接続されたソケット３１１、及びソケット３１１に差し込まれたプラグ３１２が図５に示されている。また、ケーブルＣ及びロック機構３１３が図１０に示されている。
【００５７】
カバー部材５０とトレー部材６０とは表裏方向で組み合わされている。カバー部材５０とトレー部材６０とは、制御基板３０の表面に実装されたＣＰＵなどの素子、また制御基板３０の裏側の回路パターン（接続パターン）などを外部から容易に透過可能なように、高い透明性を有するポリカーボネート（Ｐｏｌｙｃａｒｂｏｎａｔｅ）樹脂により形成されている。
【００５８】
次に、図３から図１０を参照にして、カバー部材５０について説明する。カバー部材５０は箱形状に形成されている。図４では、箱形状のカバー部材５０の開口が制御基板３０の方へ向いている。
【００５９】
カバー部材５０は、箱形状では底部に相当する天井部５１、周壁及び周縁部を備えている。カバー部材５０の天井部５１は、制御基板３０の表面に接触しないように形成されると共に、制御基板３０の表面に実装されたＣＰＵ（図示省略）などの素子に接触しないように形成されている。
【００６０】
カバー部材５０の周壁は、上側壁５２、下側壁５３及び両側壁５４、５５を有している。また、カバー部材５０の周縁部は、下縁部５６及び両側縁部５７、５８を有している。カバー部材５０の下縁部５６及び両側縁部５７、５８はフランジ５０１を有している。
【００６１】
カバー部材５０の下縁部５６は、下側壁５３の端部から下方向へ延設されている。カバー部材５０の両側縁部５７、５８は、各側壁５４、５５の端部から外側方向へそれぞれ延設されている。
【００６２】
カバー部材５０の上側壁５２には、舌片状のシール用フランジ５２３が形成されている。また、カバー部材５０の下縁部５６には、舌片状のシール用フランジ５６３が形成されている。
【００６３】
カバー部材５０の下縁部５６及び両側縁部５７、５８には、６個のコネクタ３１の位置および形状等に対応させて、６個の貫通口５９がそれぞれ開設されている。各コネクタ３１は、各貫通口５９を通ってカバー部材５０の外方へ突出している。
【００６４】
カバー部材５０の下縁部５６及び側縁部５７、５８は、制御基板３０の表面に対してわずかな隙間をもって近接している。その隙間は、カバー部材５０の外部から貫通口５９を通して、ＣＰＵ等の素子が収容されているカバー部材５０の内部へ針金などの不正な治具を挿入できない程度に設定されている。
【００６５】
次に、図３から図１０を参照にして、トレー部材６０について説明する。トレー部材６０は、底の浅い皿形状に形成されている。図４では、トレー部材６０の開口が制御基板３０の方を向いている。
【００６６】
トレー部材６０は、カバー部材５０を表裏方向で嵌め合わせ、次に、カバー部材５０を表裏方向に対して直交する方向（図４に示すＡ方向）に相対移動させるように構成されている。
【００６７】
トレー部材６０の上縁部６３には、舌片状のシール用フランジ６３６が形成されている。シール用フランジ６３６は、図３に示すように、カバー部材５０とトレー部材６０との組み付け時に、シール用フランジ５２３と滑らかに連続して、封印シール（図示省略）を貼るための平面を形成する。
【００６８】
また、トレー部材６０の下縁部６４は、舌片状のシール用フランジ６４６が形成されている。シール用フランジ６４６は、図３に示すように、カバー部材５０とトレー部材６０との組み付け時に、シール用フランジ５６３と滑らかに連続して、封印シール（図示省略）を貼るための平面を形成する。
【００６９】
次に、カバー部材５０をトレー部材６０に組み付けるための構成について説明する。その組付構成としては、カバー部材５０に設けられる被係止部と、トレー部材６０に設けられる係止部とを含む。
【００７０】
図６は、カバー部材５０の周縁部が、全部で８つの被係止部を有していることを示している。３つの被係止部５２１がカバー部材５０の上側壁５２の端縁に所定の距離を隔てて設けられている。また、３つの被係止部５６１がカバー部材５０の下縁部５６の端縁に所定の距離を隔てて設けられている。さらに、２つの被係止部５７１がカバー部材５０の側縁部５７（図４及び図６に示す左側の縁部）の端縁に所定の距離を隔てて設けられている。
【００７１】
また、図６は、トレー部材６０の周縁部６２が、全部で８つの係止部を有していることを示している。３つの係止部６３１は、各被係止部５２１に対応してトレー部材６０の上縁部６３に設けられている。次の３つの係止部６４１は、各被係止部５６１に対応してトレー部材６０の下縁部６４に設けられている。残りの２つの係止部６５１は、各被係止部５７１に対応してトレー部材６０の側縁部６５（図４及び図６に示す左側の縁部）に設けられている。
【００７２】
次に、係止部を被係止部に係止するための構成について、図４及び図６に基づいて説明する。図４において、カバー部材５０を表裏方向（トレー部材６０の方向）に移動した場合に、各被係止部５２１、５６１は、各係止部６３１、６４１に合わさる。このとき、被係止部５７１は、係止部６５１に対応した位置に移動する。
【００７３】
カバー部材５０を表裏方向に対して直交する方向（図４においてＡ方向）に相対移動した場合に、各被係止部５２１、５６１、５７１は、各係止部６３１、６４１、６５１に係止され、表裏方向へ直線的に離脱不能となる。
【００７４】
次に、カバー部材５０が表裏方向に対して直交する方向（図４に示すＢ方向）へ相対移動するのを阻止するための手段について、図４を参照にして説明する。その阻止するための手段は、カバー側ボス５８１、トレー側ボス６６１及び打ち込み鋲７０の各構成にある。
【００７５】
カバー側ボス５８１は全部で６個設けられている。各カバー側ボス５８１の構成はほぼ同じであり、６個の中の１つのカバー側ボス５８１の構成について代表して説明する。トレー側ボス６６１は、全部で６個設けられている。各トレー側ボス６６１の構成はほぼ同じであり、６個の中の１つのトレー側ボス６６１の構成を説明する。
【００７６】
トレー側ボス６６１は、カバー部材５０をトレー部材６０に対し直交する方向に相対移動したときに、カバー側ボス５８１と表裏方向で重なり合う位置に配されている。打ち込み鋲７０は、その打ち込み時に、カバー側ボス５８１の下穴（図示省略）と、トレー側ボス６６１の下穴（図示省略）とに通される。それにより、打ち込み鋲７０は、カバー部材５０がトレー部材６０に対して相対移動（図４に示すＢ方向に移動）するのを阻止している。
【００７７】
次に、図３から図１３を参照にして、制御基板３０に入出力する信号を偽装する不正行為を防止するための構成について説明する。
【００７８】
この不正行為を防止するための構成としては、コネクタカバー９０、およびコネクタカバー９０を取り付けるための部位が含まれる。
【００７９】
コネクタ３１に対する不正行為を防止する構成を以下に示す。制御基板３０に配設された全部で６個のコネクタ３１が図４及び図５に示されている。図４において、制御基板３０の左端部に配設された１個のコネクタ３１のソケット３１１には、図２に示す払出装置２５内の電子回路から延ばされた図１０に示すケーブルＣが電気的に接続されている。ケーブルＣは、コネクタ３１のプラグ３１２に対してソケット３１１を抜き差しすることにより、制御基板３０に電気的に接続及び切り離される。
【００８０】
制御基板３０の左端部に配設されたコネクタ３１を外部から覆うコネクタカバー９０が図３及び図５に示されている。他の５個のコネクタ３１は、コネクタカバー９０により覆われていない。これらのコネクタ３１が不正行為の対象になれば、コネクタカバー９０により覆うようにしても良い。
【００８１】
次に、コネクタ３１に対する不正行為を防止すための構成に関し、基板ケース４０に係る構成について、図６、図９、図１０、図１１及び図１２を参照にして説明する。図９は、図６のＩＸ−ＩＸ線で係合部８０を破断した図、図１０は、図６のＸ−Ｘ線で係合部８０及びコネクタカバー９０を破断した図、図１１はコネクタカバー９０を外した状態の図である。
【００８２】
基板ケース４０は係合部８０を有している。係合部８０はカバー部材５０の側縁部５７に配設されている。図６及び図９に示すように、係合部８０は、制御基板３０の左端部に配設されたコネクタ３１を通す貫通口５９の近傍に位置している。
【００８３】
貫通口５９を間にして、係合部８０と反対側には、壁部である側壁５４が位置している。その側壁５４は、カバー部材５０の側縁部５７の平面に対して略直交する壁面を有している。側壁５４は、３０ミリ程度の高さ（丈）を有している。
【００８４】
係合部８０の部分を破断し拡大した図１２に示すように、係合部８０は、嵌合溝８１と、係合穴８３とを有している。係合部８０の外形は、カバー部材５０の側縁部５７から突出していて、約１２ミリ角で、高さ約８ミリのサイコロ形に形成されている。嵌合溝８１は、サイコロ形の係合部８０の正面に形成されている。
【００８５】
係合穴８３は、その嵌合溝８１の底部８２に穿設されている。係合穴８３は、長方形に穿たれ、一対の長辺縁８４と一対の短辺縁８５とを有している。なお、嵌合溝８１の大きさ及び深さ、並びに、係合穴８３の長辺縁８４及び短辺縁８５の間隔等については後述する。
【００８６】
次に、コネクタカバー９０の構成について、図５、図１０及び図１１を参照にして説明する。コネクタカバー９０は、コネクタ３１のソケット３１１、プラグ３１２及びロック機構３１３を外部から覆うものである。
【００８７】
コネクタカバー９０は、略箱形に形成され、天井部９１及び周壁９２を有している。天井部９１は、貫通口５９を通って、基板ケース４０の外方（図５の紙面で上方）へ突出したコネクタ３１を、コネクタ３１のソケット３１１が差し込まれる方向（図５においてＰ方向）から覆うように形成されている。天井部９１がコネクタ３１のロック機構３１３に近接した状態を図１０に示す。
【００８８】
周壁９２は、基板ケース４０の外方へ突出したコネクタ３１を、コネクタ３１のソケット３１１が差し込まれる方向に対し直交する方向から覆うように形成されている。周壁９２がコネクタ３１（ソケット３１１及びプラグ３１２）に接近した状態を図１０に示す。
【００８９】
周壁９２は、２７ミリ程度の高さ（丈）を有している。この高さは、側壁５４の高さ（３０ミリ程度）とほぼ同じである。周壁９２は、貫通口５９の周縁部に接している。周壁９２は、両側面壁９２１、９２２及び両端面壁９２３、９２４を有している。
【００９０】
周壁９２の側面壁９２１は、カバー部材５０の側壁５４にわずかな隙間で近接していて、側面壁９２１の下端は、側壁５４の下端に接している。また、周壁９２の側面壁９２２は、ソケット３１１から延びるケーブルＣを通すための開口９２７が形成されている。
【００９１】
周壁９２の側面壁９２２の一般面に対して、開口９２７の周縁部９２８が外側（係合部８０の方）へ５ミリ程度突出している。それにより、開口９２７の周縁部９２８は、ケーブルＣの配線収納可能となり、また、ねじれ及び撓みに対する抗力を高める。さらに、開口９２７の周縁部９２８は、係合部８０の方へ突出することにより、係合部８０との間の隙間を狭めていて、係合部８０と近接している。
【００９２】
開口９２７の周縁部９２８の下端には、被案内部９２９が形成されている。被案内部９２９は、コネクタカバー９０の装着時に、係合部８０に乗り上がった場合に、係合部８０の外面上を滑るように面取りが施されている。
【００９３】
周壁９２の両端面壁９２３、９２４は、ロック機構３１３にわずかな隙間で近接している。両端面壁９２３、９２４には、ロック機構３１３のレバー３１４に接することにより、開き（ロック解除）を防止する突起９２５、９２６が設けられている。両端面壁の内壁部の上端にそれぞれ設けられた突起９２５、９２６を図１１に示す。
【００９４】
次に、周壁９２に一体的に形成された連結体９３、及び連結体９３の先端部９３１に一体的に形成された被係合部９４２について、図９から図１３を参照にして説明する。
【００９５】
連結体９３は、板厚約２ミリの板形状に形成され、係合部８０へ延ばされている。一対の連結体９３は、開口９２７の両側縁からそれぞれ延ばされている。連結体９３は、開口９２７の両側縁の一部を成している。連結体９３の基端部に設けられた切り欠き部９３２を図１２（ｃ）に示す。切り欠き部９３２を設けたことにより、連結体９３の基端部の板幅は、１２ミリ程度に狭くなっている。
【００９６】
被係合部９４２は、係合穴８３に係合される。それにより、コネクタカバー９０は、ソケット３１１がプラグ３１２から抜き出される方向（図１０に示すＰ２方向）へ移動不能に拘束されている。
【００９７】
被係合部９４２は、全体的に略錨形に形成され、中央片９４１と、その中央片９４１の両側に位置する一対の被係合片９４２とを有している。中央片９４１は、連結体９３に連続して形成されている。また、一対の被係合片９４２は、略Ｖ字形状に形成され、中央片９４１の先端部から基端部の方に進むに従って、互いの間隔が徐々に離れるように展開されている。
【００９８】
次に、係合穴８３及び被係合部９４２の大きさの関係について、図１３を参照にして説明する。図１３（ａ）に示すように、一対の被係合片９４２の間隔は約７．５ミリ程度である。また、一対の被係合片９４２の板幅は、約４．５ミリである。
【００９９】
係合穴８３は約５ミリ×約８ミリの長方形に形成されている。すなわち、係合穴８３の一対の長辺縁８４の間隔が約５ミリであり、係合穴８３の一対の短辺縁８５の間隔が約８ミリである。図１２（ｂ）及び図１３（ｂ）に示すように、係合穴８３の長辺縁８４が一対の被係合片９４２に係合可能となる。
【０１００】
長辺縁８４と被係合片９４２との間にはわずかな隙間Ｓ１が形成され、長辺縁８４が被係合片９４２に確実に係合するように成っている。図１２（ａ）では、隙間Ｓ１を強調して示している。隙間Ｓ１は、実際には０．３ミリ程度である。
【０１０１】
以上の構成によれば、係合穴８３が被係合片９４に係合しているため、連結体９３を介して、コネクタカバー９０はソケット３１１が抜き出される方向へ移動不能に拘束される。また、一対の係合穴８３に一対の被係合片９４が係合しているため、連結体９３を介して、コネクタカバー９０は回転不能に拘束される。
【０１０２】
連結体９３を破断して、端面壁９２３と被係合片９４との連結関係を断てば、被係合片９４は、係合穴８３に対して回動可能となる。
【０１０３】
次に、被係合片９４を係合穴８３に対して回動させた場合において、係合穴８３及び被係合片９４の大きさの関係について、図１２及び図１３を参照にして説明する。図１３は、係合部８０の部分正面図であり、図１３（ａ）から（ｃ）は、図１２（ａ）から（ｃ）に対応している。
【０１０４】
図１２（ａ）及び図１３（ａ）に示す中心軸Ｃ１周りに９０度回動した被係合片９４２を図１２（ｃ）及び図１３（ｃ）に示す。上記したように、一対の短辺縁の間隔は約８ミリ、一対の係合片９４２の間隔は約７．５ミリであり、一対の短辺縁の間隔は約５ミリ、一対の係合片９４２の板幅は約４．５ミリである。それにより、一対の被係合片９４２は、係合穴８３から抜け可能に構成される。図１２（ｃ）及び図１３（ａ）から（ｃ）では、係合穴８３及び一対の被係合片９４２の大きさの差を多少強調して示している。
【０１０５】
次に、連結体９３と被係合部９４２との間の中間部に形成された遮蔽体９５について説明する。遮蔽体９５は、連結体９３及び被係合部９４２と一体的に形成されている。すなわち、天井部９１、周壁９２、連結体９３、被係合部９４２及び遮蔽体９５は、ポリカーボネート樹脂により一体成形される。
【０１０６】
遮蔽体９５は、被係合部９４２の一対の被係合片９４２が係合穴８３に係合するとき、図１２（ａ）に示すように、嵌合溝８１に嵌合すると共に、係合穴８３を塞ぐ。遮蔽体９５は、正方形（約８ミリ×約８ミリ）で板厚約２ミリの平板形状に形成され、約５ミリ×約８ミリの長方形の係合穴８３を塞ぐ。遮蔽体９５は、嵌合溝８１（約１１．５ミリ径の円形断面形状で、深さが約３ミリ）に回動可能に嵌合されている。
【０１０７】
図１２（ａ）の紙面において、被係合片９４２を上方（係合穴８３から抜く方向）へ移動した場合に、図１２（ｂ）に示すように、一対の長辺縁８４が一対の被係合片９４２に係合する。
【０１０８】
遮蔽体９５は、係合穴８３を上方から覆った状態を維持する。また、遮蔽体９５は、嵌合溝８１に嵌合した状態を維持する。遮蔽体９５と嵌合溝８１の底部８２との間に生じた隙間Ｓ１（０．３ミリ程度）を図１２（ｂ）に示す。
【０１０９】
（動作）
次に、コネクタカバー９０を基板ケース４０から外す手順について説明する。コネクタカバー９０が基板ケース４０に装着されている場合に、カバー部材５０の一対の係合部８０がコネクタカバー９０の一対の被係合部９４２にそれぞれ係合している。
【０１１０】
この場合に、コネクタカバー９０の天井部が、コネクタ３１のソケット３１１を差し込み方向から覆っている。それにより、天井部９１に阻まれ、ソケット３１１をプラグ３１２から抜き出すことが不能となる。また、カバー部材５０から外方へ突出したコネクタ３１をコネクタカバー９０の周壁９２が外部から覆っているため、周壁９２に阻まれ、ソケット３１１へのアクセスは不能となる。
【０１１１】
コネクタカバー９０に開口９２７が開設されているため、その開口９２７の周縁部９２８の剛性が低くなるが、周縁部９２８に側面壁９２２の一般面より約５ミリ高い段差を設けることにより、周縁部９２８のねじれや撓みに十分に対抗可能となる。それにより、周縁部９２８を変形させて、コネクタ３１にアクセスすることは不能となる。
【０１１２】
係合部８０が、連結体９３を介して、コネクタカバー９０を抜き出す方向に移動不能に拘束しているため、コネクタカバー９０を外すことができない。
【０１１３】
また、係合部８０を略中心にして、コネクタカバー９０を図１０に示すＰ３方向（反時計方向）へ回動しても、コネクタカバー９０の側面壁９２１が、周壁９２の高さである２７ミリの幅で、カバー部材５０の側壁５４に接近しているため、周壁９２と側壁５４との間の隙間は狭いままであり、その狭い隙間に特殊な工具を入れることは不可能である。
【０１１４】
コネクタ３１のソケット３１１をプラグ３１２から抜き出すためには、コネクタカバー９０全体を破壊するか、または、係合部８０を破壊する必要がある。しかし、コネクタカバー９０は箱形に形成され、その天井部９１や周壁９２は剛性が高く容易に破壊できない。また、サイコロ形の係合部８０を破壊することも困難を伴う。
【０１１５】
連結体９３が板形状に形成されているため、スロットマシン１０の前扉１２を開けて、正面側からスロットマシン１０内へ切断工具を入れ、切断工具の向きなどを変えることなく、そのまま連結体９３にアクセス可能となる。また、連結体９３の板厚が正面側から見えているので、連結体９３の板厚を挟むようにすれば、簡単に連結体９３を破断することができる。
【０１１６】
さらに、連結体９３の基端部に切り欠き部９３２が設けられ、切り欠き部９３２の分だけ、切断する長さが短くなっているため、連結体９３を一層簡単に破断可能となる。連結体９３を破断することにより、係合部８０による拘束が解除され、コネクタカバー９０を外し可能となる。それにより、コネクタカバー９０に対する不正行為が可能となる。
【０１１７】
次に、コネクタカバー９０に対する不正行為を発見した後に、コネクタカバー９０を交換するための手順について、図１２から図１５を参照にして説明する。
【０１１８】
コネクタカバー９０の連結体９３の切断により、コネクタカバー９０に対する不正行為がなされた場合に、切断された連結体９３は、一体となる被係合部９４２と共に係合部８０に残る。係合部８０に残った連結体９３の切断の痕によって、遊技場側は、不正行為を容易に発見することができる。
【０１１９】
係合部８０が被係合部９４２に係合し、切断された連結体９３が被係合部９４２と共に係合部８０に残った状態を図１３（ａ）及び図１４（ａ）に示す。
【０１２０】
スロットマシン１０を修復するには、先ず、被係合部９４２と共に係合部８０に残った連結体９３を除去する必要がある。連結体９３等を係合部８０から除去しなければ、新たなコネクタカバー９０を装着不能となるからである。
【０１２１】
図１３（ａ）に示す中心軸Ｃ１を中心にして、連結体９３を正逆いずれかの方向に９０度回動する。このとき、遮蔽体９５は、嵌合溝８１内を回動する。連結体９３を回動すると、被係合部９４２の一対の被係合片９４２が、図１２（ｃ）、図１３（ｂ）及び図１４（ｃ）に示す状態となる。
【０１２２】
この状態では、約５ミリ×約８ミリの長方形の係合穴８３の中に、板幅が約４．５ミリで、間隔が約７．５ミリの一対の被係合片９４２が収まるようになる。それにより、一対の被係合片９４２が、係合穴８３から抜け可能となる。図１２（ｃ）では、一対の被係合片９４２の板幅（４．５ミリ）と一対の長辺縁８４との間の隙間Ｓ２を示している。図１２（ｃ）では、隙間Ｓ２を強調して示している。
【０１２３】
次に、図１４（ｂ）においてＰ２方向に連結体９３を移動すれば、一対の被係合片９４２が係合穴８３に引っ掛かることなく、係合穴８３から外れる。一対の被係合片９４２が係合穴８３から外れた状態を図１４（ｃ）に示す。以上の手順により、被係合部９４２と共に係合部８０に残った連結体９３を除去することができる。
【０１２４】
次に、新たなコネクタカバー９０を装着する手順について、図１５を参照にして説明する。図１５は、係合部８０と被係合部９４２との位置関係を説明する図であり、（ａ）はコネクタカバー９０が装着前の状態図、（ｂ）は、コネクタカバー９０の装着後の状態図である。
【０１２５】
コネクタカバー９０を図１５（ａ）においてＰ１方向へ移動して、コネクタ３１に被せるようにする。それにより、コネクタ３１が相対的にコネクタカバー９０の周壁９２に嵌合する。このとき、コネクタカバー９０の側面壁９２１が、コネクタ３１とカバー部材５０の側壁５４とにそれぞれ案内され、側面壁９２１と側壁５４との間の隙間に入っていく。また、コネクタカバー９０の端面壁９２３、９２４が、コネクタ３１の両側のロック機構３１３に案内される。
【０１２６】
コネクタ３１及びカバー部材５０の側壁５４により、コネクタカバー９０が所定位置に案内され、コネクタカバー９０の位置が修正されていく。それにより、被係合部９４２と係合部８０との相対的な位置合わせをしなくても、被係合部９４２が係合部８０の嵌合溝８１に嵌るようになる。コネクタカバー９０の交換作業性が向上し、スロットマシン１０の修復コストが低減する。
【０１２７】
さらに、コネクタカバー９０を移動していくと、一対の被係合片９４が係合穴８３の一対の長辺縁８４に当接する。略Ｖ字形状の一対の被係合片９４が係合穴８３に嵌るようになるので、被係合部９４２の位置合決めがされる。この構成によっても、コネクタカバー９０の交換作業性が向上する。
【０１２８】
一対の長辺縁８４からの反力を一対の被係合片９４が受けて、一対の被係合片９４がその復元力に抗して撓み、一対の被係合片９４の間隔が、一対の長辺縁８４の間隔と同じ約５ミリと狭くなる。それにより、一対の被係合片９４が係合穴８３を通り抜ける。
【０１２９】
一対の被係合片９４は、係合穴８３を通り抜けた後に、復元して、一対の被係合片９４の間隔が約７．５ミリに広がる。それにより、係合穴８３が一対の被係合片９４に係合可能となる。コネクタカバー９０が図１５（ｂ）に示すＰ２方向に移動不能となる。
【０１３０】
前後して、遮蔽体９５が係合部８０の嵌合溝８１の底部８２に当接し、係合穴８３を塞ぐ。また、コネクタカバー９０の周壁９２がカバー部材５０の側縁部５７に当接する。それにより、コネクタカバー９０の装着が完了する。すなわち、遮蔽体９５が底部８２に当接し、また、周壁９２が側縁部５７に当接するまで、コネクタカバー９０を移動していけば良く、この構成によっても、コネクタカバー９０の交換作業性が向上する。
【０１３１】
コネクタカバー９０の装着時には、コネクタカバー９０の突起９２５、９２６、コネクタ３１のロック機構３１３のレバー３１４に当接し、レバー３１４の開きを防止する。それにより、ソケット３１１がプラグ３１２から抜け不能となる。
【０１３２】
以上のコネクタカバー９０の構成によれば、周壁９２の側面壁９２１をカバー部材５０の側壁５４に近接するように形成したので、側面壁９２１側に係合部８０、連結体９３及び被係合部９４２等を設けないで済み、係合部８０等の数を減らすことができ、コネクタカバー９０の製造コストを低減することができる。
【０１３３】
なお、前記実施の形態では、基板ケース４０の外方へ突出したコネクタ３１をコネクタカバー９０が覆うものを示したが、基板ケース４０の内部にコネクタ３１が位置し、コネクタ３１を基板ケース４０の内部に通す貫通口５９が基板ケース４０に開設されている構成では、貫通口５９をコネクタカバー９０の天井部９１により、コネクタ３１のソケット３１１が差し込まれる方向から覆うようにすれば良い。この構成では、係合部８０、連結体９３、被係合部９４２等の構成は、前記実施の形態に係る構成と同様である。
【０１３４】
また、実施の形態では、コネクタカバー９０の側面壁９２１を側壁５４に接するように形成したが、側面壁９２１又は天井部９１の少なくとも一方に被掛止部を設け、側壁５４に被掛止部を設けても良い。掛止部が被掛止部に掛止することにより、コネクタカバー９０をコネクタ３１のソケット３１１が制御基板３０側のプラグ３１２から抜き出される方向へ移動不能に拘束する。それにより、係合部８０を略中心にしてコネクタカバー９０が回動不能となる。
【０１３５】
なお、係合部８０がカバー部材５０の側縁部５７に配設されたものを示したが、係合部８０は、貫通口５９の近傍に配されていれば良く、例えば、カバー部材５０の側壁５４に配設されても良い。
【０１３６】
また、係合部８０が約５ミリ×約８ミリの長方形の係合穴８３を有するものを示したが、これに限らない。係合穴８３が被係合部９４２に係合し、被係合部９４２が所定の角度回動した場合に、係合穴８３が被係合部９４２から外れ可能な形状であれば良い。この場合に、係合穴８３の形状に応じて、被係合部９４２を形成すれば良い。
【０１３７】
さらに、周壁９２の側面壁９２２に連結体９３を一体的に形成したが、周壁９２の端面壁９２３、９２４に連結体９３を一体的に形成しても良い。また、天井部９１に連結体９３を一体的に形成しても良い。さらに、周壁９２及び天井部９１に連結体９３を一体的に形成しても良い。
【０１３８】
さらに、制御基板３０に複数個のコネクタ３１が並ぶように配設される場合に、その複数個のコネクタ３１の中の２個以上を１つのコネクタカバー９０が外部から覆うようにしても良い。
【０１３９】
さらに、前記実施形態では、基板ケース４０をその内部に備えたスロットマシン１０について説明したが、これに限らない。基板ケース４０を有するパチンコ遊技機、パチンコ球を用いたスロットマシン型遊技機である所謂パロットであっても良い。
【図面の簡単な説明】
【０１４０】
【図１】本発明の一実施の形態に係る基板ケース及びコネクタカバーをその内部に備えたスロットマシンの正面図である。
【図２】前扉を外してスロットマシンの内部構成を前から見た正面図である。
【図３】基板ケース及びコネクタカバーの斜視図である。
【図４】制御基板を収容する基板ケースの分解斜視図である。
【図５】基板ケース、及び基板ケースから外した状態のコネクタカバーを示す分解斜視図である。
【図６】基板ケース及びコネクタカバーを示す正面図である。
【図７】基板ケース及びコネクタカバーを示す底面図である。
【図８】基板ケース及びコネクタカバーを示す側面図である。
【図９】図６のＩＸ−ＩＸ線断面図である。
【図１０】図６のＸ−Ｘ線断面図である。
【図１１】図９において、コネクタカバーを外した状態を示す断面図である。
【図１２】係合部及び被係合部を部分的に破断し、それらを拡大して示した部分拡大断面図である。
【図１３】係合部及び被係合部の大きさの関係を説明する図である。
【図１４】係合部から被係合部を外す手順を説明する図である。
【図１５】係合部と被係合部との位置関係を説明する図である。
【符号の説明】
【０１４１】
１０…スロットマシン、１１…機本体、１１ａ…後壁、３０…制御基板、３１…コネクタ、３１１…ソケット、３１２…プラグ、３１３…ロック機構、３１４…レバー、４０…基板ケース、５０…カバー部材、５１…天井部、５２…上側壁、５２１…被係止部、５２３…シール用フランジ、５３…下側壁、  ５４、５５…側壁、５６…下縁部、５６１…被係止部、５６３…シール用フランジ、５７…側縁部、５７１…被係止部、５８…側縁部、５８１…カバー側ボス、５９…貫通口、６０…トレー部材、６１…底部、６２…周縁部、６３…上縁部、６３１…係止部、６３６…シール用フランジ、６４…下縁部、６４１…係止部、６４６…シール用フランジ、６５…側縁部、６５１…係止部、６６…側縁部、６６１…トレー側ボス、７０…打ち込み鋲
８０…係合部、８１…嵌合溝、８２…底部、８３…係合穴、８４…長辺縁、８５…短辺縁、９０…コネクタカバー、９１…天井部、９２…周壁、９２１、９２２…側面壁、９２３、９２４…端面壁、９２５、９２６…突起、９２７…開口、９２８…周縁部、９２９…被案内部、９３…連結体、９３１…先端部、９３２…切り欠き部、９４…被係合部、９４１…中央片、９４２…被係合片、９５…遮蔽体
【図１】
0004879141.tif 000002
【図２】
0004879141.tif 000003
【図３】
0004879141.tif 000004
【図４】
0004879141.tif 000005
【図５】
0004879141.tif 000006
【図６】
0004879141.tif 000007
【図７】
0004879141.tif 000008
【図８】
0004879141.tif 000009
【図９】
0004879141.tif 000010
【図１０】
0004879141.tif 000011
【図１１】
0004879141.tif 000012
【図１２】
0004879141.tif 000013
【図１３】
0004879141.tif 000014
【図１４】
0004879141.tif 000015
【図１５】
0004879141.tif 000016